(57)【要約】サブ表示部を備えた着せ替え型の携帯端末において、ユーザーが手動で調整・設定することなく、自動で発光パターンが調整・設定される携帯端末を提供し、表示品質の安定化および着せ替え作業の簡便化を図る。  筺体２１と、この筺体２１に対して複数種類のうちから選択的に取り付けられるカバー部材と、筺体２１の外方に発する発光部と、発光部の発光パターンを複数種類記憶する記憶部と、各発光パターンのうち、予め設定された１つに基づいて発光部を発光させる制御部とを備えた携帯端末１００であって、カバー部材に設けられた別体の識別手段を有し、カバー部材を筺体２１に取り付けたときに、識別手段に対応して制御部が各発光パターンのうち１つを選択するように構成した。【特許請求の範囲】
【請求項１】
筺体と、該筺体に対して複数種類のうちから選択的に取り付けられるカバー部材と、前記筺体の外方に発する発光部と、該発光部の発光パターンを複数種類記憶する記憶部と、前記各発光パターンのうち、予め設定された１つに基づいて前記発光部を発光させる制御部とを備えた携帯端末であって、
前記カバー部材に設けられた別体の識別手段を有し、
前記カバー部材を前記筺体に取り付けたときに、該識別手段に対応して前記制御部が前記各発光パターンのうち１つを選択することを特徴とする携帯端末。
【請求項２】
前記カバー部材を前記筺体に取り付けたときに、前記制御部が、前記識別手段の識別特性を診断することを特徴とする請求項１記載の携帯端末。
【請求項３】
前記カバー部材を前記筺体に取り付けたときに、前記制御部が、前記識別手段に対応して選択された１つの発光パターンで前記発光部をテスト発光させることを特徴とする請求項１又は請求項２記載の携帯端末。
【請求項４】
筺体と、該筺体に対して複数種類のうちから選択的に取り付けられるカバー部材と、前記筺体に収容された通信部と、前記筺体の外方に光を発する発光部と、該発光部の発光パターンを複数種類記憶する記憶部と、前記通信部が待受状態に移行したときに、前記各発光パターンのうち、予め設定された１つに基づいて前記発光部を発光させる制御部とを備えた携帯端末であって、
前記カバー部材に設けられた別体の識別手段を有し、
前記カバー部材を前記筺体に取り付けたときに、前記制御部が前記通信部を前記通信状態に移行させることにより、前記識別手段に対応した新たな発光パターンをダウンロードして前記記憶部に記憶させ、前記新たな発光パターンを選択することを特徴とする携帯端末。
【発明の詳細な説明】
【技術分野】
【０００１】  本発明は、筺体に対して、複数種類のカバー部材のうちから任意のものが選択的に取り付けられる携帯端末に関する。
【背景技術】
【０００２】  携帯端末の１つである例えば携帯電話機は、近年、急速な普及によって、ファッション性、差別化、斬新さなどが求められる傾向にある。このような要請から、図１５に示すように、携帯電話機１には、特に筺体３に対して、外装パネル等のカバー部材５を複数種類（５ａ、５ｂ、５ｃ）のうちから任意のものを交換可能に装着できるようにしたもの（所謂着せ替え型携帯電話機）が提案されている。ところで、携帯時、折り畳まれることによって主表示部が見えなくなる特に二つ折りの携帯電話機１では、着信番号、時刻などを折り畳んだ状態でも視認可能とするために、ＬＥＤ情報表示部（サブ表示部７）が主表示部の反対面、すなわち、カバー部材５ａ、５ｂ、５ｃを装着する側の筺体３の外面３ａに設けられていることがある。【０００３】  このようなサブ表示部７の設けられた携帯電話機１では、筺体３に例えばカバー部材５ｂが装着されることで、カバー部材５ｂに設けられた窓部９によってサブ表示部７の発光部１１が視認可能に覆われて保護される。カバー部材５の中には、窓部９に嵌着される透明材料が、カバー部材５ａ、５ｂ、５ｃのデザインに応じた光透過率の異なる素材によって形成されるものもある（例えば、特許文献１）。
【特許文献１】特開２００４−８０３９０号公報
【発明の開示】
【発明が解決しようとする課題】
【０００４】  ところで、上記のサブ表示部を備えた着せ替え型携帯電話機は、多数のバリエーションの中から任意のカバー部材が選択されるため、サブ表示部の発光パターン（ＬＥＤの輝度、色、或いは発光配列など）が特定された一つのものであると、ファッション性などの要請に応えられない。また、窓部に嵌着される透明素材が異なれば、透過光の強度が変わり、表示品質のばらつく虞もあった。そのため、従来の着せ替え型携帯電話機の中には、装着したカバー部材に対応する発光パターン（例えば、ＬＥＤの輝度）を、ユーザーが手動で調整・設定できるものもあった。
しかしながら、手動で発光パターンの調整・設定を行うものでは、例えばユーザーがカバー部材を毎日交換する場合、その都度煩雑な手動調整・設定が必要となり、折角の着せ替え機能を、良質な表示品質の下で気軽に楽しむことができなかった。【０００５】  また、例えば、図１６に示す携帯電話機３０１のように、夜空にデザインされたカバー部材３０５ａには、発光部３１１が月の発光パターンで発光され、顔の輪郭にデザインされたカバー部材３０５ｂには、発光部３１１が人面の発光パターンで発光され、時計にデザインされたカバー部材３０５ｃには、発光部３１１が時計針の発光パターンで発光される。また、窓部３０９に嵌着される透明素材が異なれば、透過光の強度が変わり、表示品質のばらつく虞もあった。そのため、従来の着せ替え型携帯電話機の中には、装着したカバー部材に対応する発光パターン（例えば、ＬＥＤ点灯アプリケーション）を、ユーザーが手動でダウンロードして設定できるものもあった。
しかしながら、手動で発光パターンのダウンロード・設定を行うものでは、例えばユーザーがカバー部材を毎日交換する場合、その都度煩雑なダウンロード・設定が必要となり、折角の着せ替え機能を、良質な表示品質の下で気軽に楽しむことができなかった。【０００６】  本発明は上記状況に鑑みてなされたもので、サブ表示部を備えた着せ替え型の携帯端末において、ユーザーが手動で調整・設定することなく、自動で発光パターンが調整・設定される携帯端末を提供し、もって、表示品質の安定化および着せ替え作業の簡便化を図ることを目的とする。
【課題を解決するための手段】
【０００７】  上記目的を達成するための本発明に係る携帯端末は、筺体と、該筺体に対して複数種類のうちから選択的に取り付けられるカバー部材と、前記筺体の外方に発する発光部と、該発光部の発光パターンを複数種類記憶する記憶部と、前記各発光パターンのうち、予め設定された１つに基づいて前記発光部を発光させる制御部とを備えた携帯端末であって、前記カバー部材に設けられた別体の識別手段を有し、前記カバー部材を前記筺体に取り付けたときに、該識別手段に対応して前記制御部が前記各発光パターンのうち１つを選択することを特徴とする。【０００８】  この携帯端末では、ユーザーがカバー部材を交換すると、カバー部材に設けられた識別手段が制御部によって識別される。識別手段を識別した制御部は、記憶部に記憶された複数種類の発光パターンの中から、当該識別した識別手段に対応する発光パターンを選択し、この発光パターンで発光部を発光させる。【０００９】  また、本発明に係る携帯端末は、前記カバー部材を前記筺体に取り付けたときに、前記制御部が、前記識別手段の識別特性を診断することを特徴とする。【００１０】  この携帯端末では、カバー部材が取り付けられると、そのカバー部材に搭載される識別手段の識別特性が制御部によって読み取られる。識別特性を読み取った制御部は、読み取り特性値が所定範囲内であるかを記憶部などに記憶された規定値と比較し、読み取り特性値が規定範囲内であれば正常と判断し、規定範囲外であれば異常と判断する。【００１１】  さらに、本発明に係る携帯端末は、前記カバー部材を前記筺体に取り付けたときに、前記制御部が、前記識別手段に対応して選択された１つの発光パターンで前記発光部をテスト発光させることを特徴とする。【００１２】  この携帯端末では、カバー部材が筺体に取り付けられると、カバー部材に設けられている識別手段に対応した発光パターンで、発光部がテスト発光される。したがって、例えば、窓部に人面の発光パターンを要求するカバー部材である場合、当該カバー部材が装着された際に、発光部が時計の発光パターンとなれば、識別手段や制御部などの誤作動が分かることになる。【００１３】  一方、本発明に係る携帯端末は、筺体と、該筺体に対して複数種類のうちから選択的に取り付けられるカバー部材と、前記筺体に収容された通信部と、前記筺体の外方に光を発する発光部と、該発光部の発光パターンを複数種類記憶する記憶部と、前記通信部が待受状態に移行したときに、前記各発光パターンのうち、予め設定された１つに基づいて前記発光部を発光させる制御部とを備えた携帯端末であって、前記カバー部材に設けられた別体の識別手段を有し、前記カバー部材を前記筺体に取り付けたときに、前記制御部が前記通信部を前記通信状態に移行させることにより、前記識別手段に対応した新たな発光パターンをダウンロードして前記記憶部に記憶させ、前記新たな発光パターンを選択することを特徴とする。【００１４】  この携帯端末では、ユーザーがカバー部材を交換すると、カバー部材に設けられた識別手段が制御部によって識別される。識別手段を識別した制御部は、識別手段に対応した新たな発光パターンをダウンロードして記憶部に記憶させ、この新たな発光パター��を選択して発光部を発光させる。
【発明の効果】
【００１５】  本発明に係る請求項１記載の携帯端末によれば、筺体に対して複数種類のうちから選択的に取り付けられるカバー部材と、筺体の外方に発する発光部と、発光部の発光パターンを複数種類記憶する記憶部と、発光パターンのうち、予め設定された１つに基づいて発光部を発光させる制御部とを備えた携帯端末において、カバー部材に設けられた別体の識別手段を有し、カバー部材を筺体に取り付けたときに、この識別手段に対応して制御部が各発光パターンのうち１つを選択するので、ユーザーがカバー部材を交換する都度、制御部によってカバー部材に対応した発光パターンが自動で選択され、煩雑な手動調整・設定が不要となる。この結果、表示品質の安定化および着せ替え作業の簡便化を同時に達成でき、着せ替え機能を良質な表示品質の下で気軽に楽しむことができる。【００１６】  本発明に係る請求項２記載の携帯端末によれば、カバー部材を筺体に取り付けたときに、制御部が、識別手段の識別特性を診断するので、先ず、カバー部材が取り付けられると、そのカバー部材に搭載される識別手段が所定の特性を備えているか否かが診断され、例えば経時劣化などによって所定の特性を示さなくなった識別手段によって、制御部が発光部を誤った発光パターンで設定してしまう誤設定を未然に防止することができる。【００１７】  本発明に係る請求項３記載の携帯端末によれば、カバー部材を筺体に取り付けたときに、制御部が、識別手段に対応して選択された１つの発光パターンで発光部をテスト発光させるので、例えば、窓部に人面の発光パターンを要求するカバー部材である場合、当該カバー部材が装着された際に、発光部が時計の発光パターンとなれば、識別手段や制御部などの誤作動が分かる。この結果、カバー部材の装着と同時に、所定の発光パターンであるか否かをユーザーが確認することができる。【００１８】  一方、本発明に係る請求項４記載の携帯端末によれば、筺体に対して複数種類のうちから選択的に取り付けられるカバー部材と、筺体に収容された通信部と、筺体の外方に発する発光部と、発光部の発光パターンを複数種類記憶する記憶部と、通信部が待受状態に移行したときに、各発光パターンのうち、予め設定された１つに基づいて発光部を発光させる制御部とを備えた携帯端末において、カバー部材に設けられた別体の識別手段を有し、カバー部材を筺体に取り付けたときに、制御部が通信部を通信状態に移行させることにより、識別手段に対応した新たな発光パターンをダウンロードして記憶部に記憶させ、新たな発光パターンを選択するので、ユーザーがカバー部材を交換する都度、制御部によってカバー部材に対応した発光パターンが自動でダウンロードされ、新たな発光パターンとして発光させることができる。この結果、手動による煩雑なダウンロード・設定が不要となり、表示品質の安定化および着せ替え作業の簡便化を同時に達成でき、着せ替え機能を良質な表示品質の下で気軽に楽しむことができる。
【図面の簡単な説明】
【００１９】
【図１】本発明に係る第１実施形態の通信端末である携帯電話機を表す斜視図である。
【図２】図１に示した上筺体を外面から見た正面図である。
【図３】第１実施形態のカバー部材の外された携帯電話機の斜視図である。
【図４】第１実施形態のカバー部材の斜視図である。
【図５】第１実施形態の制御回路部を表すブロック図である。
【図６】第１実施形態の発光パターン制御の手順を表す流れ図である。
【図７】第１実施形態の診断機能の診断手順を表す流れ図である。
【図８】本発明に係る第２実施形態の通信端末である携帯電話機を表す斜視図である。
【図９】図８に示した上筺体を外面から見た正面図である。
【図１０】第２実施形態のカバー部材の外された携帯電話機の斜視図である。
【図１１】第２実施形態のカバー部材の斜視図である。
【図１２】第２実施形態の制御回路部を表すブロック図である。
【図１３】第２実施形態の発光パターン制御の手順を表す流れ図である。
【図１４】第２実施形態の診断機能の診断手順を表す流れ図である。
【図１５】カバー部材を交換自在に備える従来の携帯電話機の説明図である。
【図１６】カバー部材を交換自在に備える従来の携帯電話機の説明図である。
【符号の説明】
【００２０】２１、２２１  筺体
３７、２３７  カバー部材
４９、２４９  発光部
５７、２５７  制御部
５９、２５９  記憶部
１００、２００  携帯電話機（携帯端末）
２６１    通信回路部（通信部）
２６３    サーバー
Ｒ２  抵抗（識別手段）
【発明を実施するための最良の形態】
【００２１】  以下、本発明に係る携帯端末の好適な実施の形態を図面を参照して説明する。
（第１実施形態）
図１は本発明に係る第１実施形態の通信端末である携帯電話機を表す斜視図である。
第１実施形態は、携帯端末が携帯電話機である場合を例に説明するが、本発明はこれに限定して適用されるものではなく、表示部を備えた筺体に複数のカバー部材が選択的に着脱自在となった全ての携帯端末に適用できるものである。通信端末である携帯電話機（折り畳み式携帯電話機）１００は、筺体２１が上筐体２３と下筐体２５とからなり、これら上筐体２３および下筐体２５とが、双方に設けられたヒンジ２７ａ、２７ｂで構成されるヒンジ部２７によって二つ折りに折り畳み自在となっている。【００２２】  上筐体２３の裏面（二つ折り時に重ね合わされる面）には液晶表示部２９が設けられるとともに、受話部３１が設けられる。下筐体２５の裏面には操作部３３が設けられるとともに送話部３５が設けられる。この他、筺体２１には図示しないアンテナ、カメラ部、バイブレータ、各種回路部を備えた回路基板などが設けられている。【００２３】  図２は図１に示した上筺体を外面から見た正面図、図３はカバー部材の外された携帯電話機の斜視図である。
携帯電話機１００は、上筐体２３の外面に対し、外装パネルであるカバー部材３７が着脱自在となっている。カバー部材３７は、複数種類のうちから任意のものが交換可能（選択的）に装着される。カバー部材３７は、四隅に取付孔３９が穿設され、この取付孔３９に挿通された取付ねじ４１が、図３に示す上筐体２３のカバー装着面２３ａに設けられたねじ孔４３に螺合されることで、上筐体２３に取り付けられる。【００２４】  また、折り畳まれることによって主表示部である液晶表示部２９が見えなくなるこの二つ折り携帯電話機１００では、着信番号、時刻などを折り畳んだ状態でも視認可能とするためのＬＥＤ情報表示部（サブ表示部４５）が液晶表示部２９の反対面、すなわち、カバー部材３７を装着する側の上筐体２３の外面（カバー装着面２３ａ）に設けられている。【００２５】  そして、携帯電話機１００は、上筐体２３の外面にカバー部材３７が装着されることで、カバー部材３７の窓部４７に嵌着された透明部材によってサブ表示部４５の発光部４９が視認可能に覆われて保護される。発光部４９は、単一の発光面、又は複数のＬＥＤを二次元配列したもののいずれであってもよい。カバー部材３７は、窓部４７の透明部材が、当該カバー部材３７のデザインに応じ光透過率などの異なる素材によって形成されるものであってよい。【００２６】  図４は第１実施形態のカバー部材の斜視図である。
カバー部材３７の背面には別体の識別手段である抵抗Ｒ２およびその両電極に導通した一対の接点部５３ａ、５３ｂが設けられている。抵抗Ｒ２は、それぞれのカバー部材３７毎に抵抗値が異なる。つまり、抵抗Ｒ２の抵抗値を検出すれば、カバー部材３７の種類が特定できるようになっている。第１実施形態では、抵抗Ｒ２がカバー部材３７の背面に設けられるが、抵抗Ｒ２はカバー部材３７に一体に埋入されたものであってもよい。なお、その場合においても、接点部５３ａ、５３ｂは、カバー部材３７の背面に表出される。【００２７】  一方、上筐体２３のカバー装着面２３ａには、カバー装着時の接点部５３ａ、５３ｂに対応する位置に、筺体側の一対の接点部５５ａ、５５ｂ（図３参照）が設けられている。この接点部５５ａ、５５ｂは、筺体２１に内蔵された図示しない回路基板の制御回路部に接続されている。つまり、カバー部材３７が上筐体２３のカバー装着面２３ａに装着されると、抵抗Ｒ２の接点部５３ａ、５３ｂが、上筐体２３の接点部５５ａ、５５ｂに接触し、制御回路部に導通するようになっている。【００２８】  図５は第１実施形態の制御回路部を表すブロック図である。
携帯電話機１００は、図示しないバッテリ、電源回路部、通信回路部、音声回路部および制御回路部を備える。電源回路部は、バッテリの電力を元にＶＤＤ（正電源電圧）を生成し、このＶＤＤを携帯電話機１００の通話機能などの各種機能を作動させる各構成要素に供給する。制御回路部にはＬＳＩなどからなる制御部５７が設けられる。制御部５７には、通信回路部、音声回路部、操作部３３などの他、発光部４９、記憶部５９、抵抗Ｒ１が接続される。制御部５７は、発光部４９の発光パターン（ＬＥＤの輝度、色、或いは発光配列など）を制御可能としている。記憶部５９には、カバー部材３７の種類毎に複数の発光パターンが記憶されている。また、記憶部５９には、後述する診断機能の手順も記憶されている。【００２９】  次に、このような構成を有する携帯電話機１００の作用を説明する。
図６は第１実施形態の発光パターン制御の手順を表す流れ図である。
携帯電話機１００では、カバー部材３７が取り付けられる（ｓｔ１）ことにより、カバー部材３７の接点部５３ａ、５３ｂが、筺体２１の接点部５５ａ、５５ｂに接触し（ｓｔ３）、ＶＤＤの分圧抵抗として接続される。抵抗Ｒ２がＶＤＤの分圧抵抗として接続されると、抵抗Ｒ１と抵抗Ｒ２により分圧された電圧が制御部５７のＡ／Ｄ変換部に入力される（ｓｔ５）。制御部５７は、入力されたＡ／Ｄ値の違いによりどのカバー部材３７が取り付けられているかを識別する（ｓｔ７）。そして、制御部５７は、この識別結果に基づき、装着されたカバー部材３７に対応する発光パターン（例えば輝度データ設定値）を記憶部５９から読み出し（ｓｔ９）、発光部４９に対して適切な発光パターン（輝度）制御を行う（ｓｔ１１）ようになっている。【００３０】  すなわち、携帯電話機１００では、カバー部材３７が上筐体２３に取り付けられると、制御部５７が抵抗Ｒ２に対応して各発光パターンのうち１つを選択し、選択した１つの発光パターンに基づいて発光部４９が発光制御される。これにより、取り付けられるカバー部材３７のデザインや素材に左右されることなく表示品質が一定に保たれるようになっている。【００３１】  なお、上記の例では識別信号となる抵抗値を制御部５７のＡ／Ｄ変換部に入力して識別させたが、この他、識別信号は、ポート入力やコンパレータによる判別によって識別させてもよい。【００３２】  したがって、上記の携帯電話機１００によれば、筺体２１に対して複数種類のうちから選択的に取り付けられるカバー部材３７と、筺体２１の外方に発する発光部４９と、発光部４９の発光パターンを複数種類記憶する記憶部５９と、発光パターンのうち、予め設定された１つに基づいて発光部４９を発光させる制御部５７とを備えた携帯電話機１００において、カバー部材３７に設けられた別体の抵抗Ｒ２を有し、カバー部材３７を筺体２１に取り付けたときに、この抵抗Ｒ２に対応して制御部５７が各発光パターンのうち１つを選択するので、ユーザーがカバー部材３７を交換する都度、制御部５７によってカバー部材３７に対応した発光パターンが自動で選択され、煩雑な手動調整・設定が不要となる。この結果、表示品質の安定化および着せ替え作業の簡便化を同時に達成でき、着せ替え機能を良質な表示品質の下で気軽に楽しむことができるようになる。【００３３】  つぎに、携帯電話機１００に付加されて好適な診断機能について説明する。
この診断機能は、例えば記憶部５９にプログラムの形態で格納され、制御部５７によって実行される。
図７は第１実施形態の診断機能の診断手順を表す流れ図である。
携帯電話機１００では、例えば、カバー部材３７が脱着されると（ｓｔ２１）、その分圧電圧をトリガーとし、制御部５７が記憶部５９に格納された診断プログラムに基づき、抵抗Ｒ２に対する診断モードとなる（ｓｔ２３）。【００３４】  次いで、カバー部材３７を筺体２１に取り付けると（ｓｔ２５）、そのカバー部材３７に搭載される抵抗Ｒ２の識別特性（抵抗値）を制御部５７が読み取る（ｓｔ２７）。
抵抗値を読み取った制御部５７は、読み取り抵抗値が所定範囲内であるかを記憶部５９などに記憶した規定値と比較する（ｓｔ２９）。
制御部５７は、読み取り抵抗値が所定範囲内であれば正常と判断し、手順をテスト発光へと移行する（ｓｔ３１）。一方、読み取り抵抗値が所定範囲外であれば異常と判断し、警報を発報する（ｓｔ３３）。【００３５】  制御部５７は、読み取り抵抗値が所定範囲内であればテスト発光を行う。テスト発光は、抵抗Ｒ２に対応して選択された１つの発光パターンで発光部４９をテスト発光させる。したがって、例えば、窓部４７に人面の発光パターンを要求するカバー部材３７である場合、当該カバー部材３７が装着された際に、発光部４９が時計の発光パターンとなれば、抵抗Ｒ２や制御部５７などの誤作動が分かることになる。【００３６】  なお、上記した診断機能では、抵抗Ｒ２の診断を実行した後、テスト発光を実行する例を説明したが、診断機能は、この他、抵抗Ｒ２の診断のみ、或いはテスト発光のみを単独で実行するものであっても勿論良い。【００３７】  したがって、このような診断機能を備えた第１実施形態の携帯電話機１００によれば、カバー部材３７を筺体２１に取り付けたときに、制御部５７が、抵抗Ｒ２の抵抗値を診断するので、例えば経時劣化などによって所定の特性を示さなくなった抵抗Ｒ２によって、制御部５７が発光部４９を誤った発光パターンで設定してしまう誤設定を未然に防止することができる。【００３８】  また、カバー部材３７を筺体２１に取り付けたときに、制御部５７が、抵抗Ｒ２に対応して選択された１つの発光パターンで発光部４９をテスト発光させるので、カバー部材３７の装着と同時に、抵抗Ｒ２や制御部５７の誤作動が分かり、所定の発光パターンであるか否かを組立作業者或いはユーザーが簡便に確認することができる。【００３９】  （第２実施形態）
図８は本発明に係る第２実施形態の通信端末である携帯電話機２００を表す斜視図である。
第２実施形態では、携帯端末２００が携帯電話機である場合を例に説明するが、本発明はこれに限定して適用されるものではなく、表示部を備えた筺体に複数のカバー部材が選択的に着脱自在となった全ての携帯端末に適用できるものである。通信端末である携帯電話機（折り畳み式携帯電話機）２００は、筺体２２１が上筐体２２３と下筐体２２５とからなり、これら上筐体２２３および下筐体２２５とが、双方に設けられたヒンジ２２７ａ、２２７ｂで構成されるヒンジ部２２７によって二つ折りに折り畳み自在となっている。【００４０】  上筐体２２３の裏面（二つ折り時に重ね合わされる面）には液晶表示部２２９が設けられるとともに、受話部２３１が設けられる。下筐体２２５の裏面には操作部２３３が設けられるとともに送話部２３５が設けられる。この他、筺体２２１には図示しないアンテナ、カメラ部、バイブレータ、各種回路部を備えた回路基板などが設けられている。【００４１】  図９は図８に示した上筺体を外面から見た正面図、図１０はカバー部材の外された携帯電話機の斜視図である。
携帯電話機２００は、上筐体２２３の外面に対し、外装パネルであるカバー部材２３７が着脱自在となっている。カバー部材２３７は、複数種類のうちから任意のものが交換可能（選択的）に装着される。カバー部材２３７は、四隅に取付孔２３９が穿設され、この取付孔２３９に挿通された取付ねじ２４１が、図１０に示す上筐体２２３のカバー装着面２２３ａに設けられたねじ孔２４３に螺合されることで、上筐体２２３に取り付けられる。【００４２】  また、折り畳まれることによって主表示部である液晶表示部２２９が見えなくなるこの二つ折り携帯電話機２００では、着信番号、時刻などを折り畳んだ状態でも視認可能とするためのＬＥＤ情報表示部（サブ表示部２４５）が液晶表示部２２９の反対面、すなわち、カバー部材２３７を装着する側の上筐体２２３の外面（カバー装着面２２３ａ）に設けられている。【００４３】  そして、携帯電話機２００は、上筐体２２３の外面にカバー部材２３７が装着されることで、カバー部材２３７の窓部２４７に嵌着された透明部材によってサブ表示部２４５の発光部２４９が視認可能に覆われて保護される。発光部２４９は、単一の発光面、又は複数のＬＥＤを二次元配列したもののいずれであってもよい。カバー部材２３７は、窓部２４７の透明部材が、当該カバー部材２３７のデザインに応じ光透過率などの異なる素材によって形成されるものであってよい。【００４４】  図１１は第２実施形態のカバー部材２３７の斜視図である。
カバー部材２３７の背面には別体の識別手段である抵抗Ｒ２およびその両電極に導通した一対の接点部２５３ａ、２５３ｂが設けられている。抵抗Ｒ２は、それぞれのカバー部材２３７毎に抵抗値が異なる。つまり、抵抗Ｒ２の抵抗値を検出すれば、カバー部材２３７の種類が特定できるようになっている。第２実施形態では、抵抗Ｒ２がカバー部材２３７の背面に設けられるが、抵抗Ｒ２はカバー部材２３７に一体に埋入されたものであってもよい。なお、その場合においても、接点部２５３ａ、２５３ｂは、カバー部材２３７の背面に表出される。【００４５】  一方、上筐体２２３のカバー装着面２２３ａには、カバー装着時の接点部２５３ａ、２５３ｂに対応する位置に、筺体側の一対の接点部２５５ａ、２５５ｂ（図１０参照）が設けられている。
この接点部２５５ａ、２５５ｂは、筺体２２１に内蔵された図示しない回路基板の制御回路部に接続されている。つまり、カバー部材２３７が上筐体２２３のカバー装着面２２３ａに装着されると、抵抗Ｒ２の接点部２５３ａ、２５３ｂが、上筐体２２３の接点部２５５ａ、２５５ｂに接触し、制御回路部に導通するようになっている。【００４６】  図１２は第２実施形態の制御回路部を表すブロック図である。
携帯電話機２００は、バッテリ、電源回路部、通信部（通信回路部２６１）、音声回路部および制御回路部を備える。電源回路部は、バッテリの電力を元にＶＤＤ（正電源電圧）を生成し、このＶＤＤを携帯電話機２００の通話機能などの各種機能を作動させる各構成要素に供給する。制御回路部にはＬＳＩなどからなる制御部２５７が設けられる。制御部２５７には、音声回路部、操作部２３３などの他、発光部２４９、記憶部２５９、抵抗Ｒ１、通信回路部２６１が接続される。制御部２５７は、発光部２４９の発光パターン（ＬＥＤの輝度、色、或いは発光配列など）を制御可能としている。記憶部２５９には、カバー部材２３７の種類毎に複数の発光パターン（ＬＥＤ点灯アプリケーション）が記憶されている。また、記憶部２５９には、後述する診断機能の手順（ブロック）も記憶されている。【００４７】  この記憶部２５９は、ＲＯＭ領域とＲＡＭ領域とに分けられており、ＲＯＭ領域には既知の発光パターン（ＬＥＤ点灯アプリケーション）が工場出荷時に格納されている。また、ＲＡＭ領域には、出荷後に作成される新たなＬＥＤ点灯アプリケーションが格納可能となっている。これらのＲＯＭ領域に対する読み込み、およびＲＡＭ領域に対する書き込み・読み込みは、制御部２５７によって制御される。【００４８】  図１２中、２６３は通信ネット上のサーバー（データベース・サーバー装置）である。サーバー２６３は複数のＬＥＤ点灯アプリケーションを蓄積し、そのうちの任意のものを通信ネットを介して提供可能としている。ここでは、一つのサーバー２６３しか図示していないが、複数のサーバーで各アプリケーションを分けて提供してもよい。制御部２５７は、通信回路部２６１を制御することにより、無線でサーバー２６３に対して所望のＬＥＤ点灯アプリケーションのダウンロード指示を発信し、サーバー２６３を介して送信された当該ＬＥＤ点灯アプリケーションを、記憶部２５９のＲＡＭ領域に格納する。また、制御部２５７は、抵抗Ｒ２の抵抗値が既知のものであるか、新規のものであるかを判断可能としている。【００４９】  次に、このような構成を有する携帯電話機２００の作用を説明する。
図１３は第２実施形態の発光パターン制御の手順を表す流れ図である。
携帯電話機２００では、カバー部材２３７が取り付けられる（ｓｔ２０１）ことにより、カバー部材２３７の接点部２５３ａ、２５３ｂが、筺体２２１の接点部２５５ａ、２５５ｂに接触し（ｓｔ２０３）、ＶＤＤの分圧抵抗として接続される。抵抗Ｒ２がＶＤＤの分圧抵抗として接続されると、抵抗Ｒ１と抵抗Ｒ２により分圧された電圧が制御部２５７のＡ／Ｄ変換部に入力される（ｓｔ２０５）。【００５０】  制御部２５７は、入力されたＡ／Ｄ値の違いにより抵抗Ｒ２が既知か否かを判断する（ｓｔ２０７）。抵抗Ｒ２が既知であれば、制御部２５７は、入力されたＡ／Ｄ値の違いによりどのカバー部材２３７が取り付けられているかを識別する（ｓｔ２０９）。そして、制御部２５７は、この識別結果に基づき、装着されたカバー部材２３７に対応するＬＥＤ点灯アプリケーションを記憶部２５９のＲＯＭ領域から読み出し（ｓｔ２１１）、発光部２４９に対して適切な発光パターンの制御を行う（ｓｔ２１３）。【００５１】  一方、手順ｓｔ２０７において、抵抗Ｒ２が新規と判断された場合には、通信回路部２６１を介して当該抵抗値情報と共にサーバー２６３へ所望のＬＥＤ点灯アプリケーションのダウンロード指示を発信する（ｓｔ２１５）。次いで、制御部２５７は、サーバー２６３を介して送信されたＬＥＤ点灯アプリケーションを、記憶部２５９のＲＡＭ領域に格納する（ｓｔ２１７）。制御部２５７は、このＲＡＭ領域から当該ＬＥＤ点灯アプリケーションを読み出し（ｓｔ２１９）、以下上記と同様の処理によって発光部２４９に対して適切な発光パターンの制御を行う（ｓｔ２１３）。【００５２】  すなわち、携帯電話機２００では、カバー部材２３７が上筐体２２３に取り付けられると、先ず、抵抗Ｒ２が既知か否かを判断し、既知の場合には制御部２５７が抵抗Ｒ２に対応して各発光パターンのうち１つを選択し、選択した１つの発光パターンに基づいて発光部２４９を発光制御する。一方、抵抗Ｒ２が新規の場合には、発光パターンをダウンロードし、この発光パターンに基づいて発光部２４９を発光制御する。これにより、取り付けられるカバー部材２３７のデザインや素材に左右されることなく表示品質が一定に保たれるようになっている。【００５３】  なお、上記の例では識別信号となる抵抗値を制御部２５７のＡ／Ｄ変換部に入力して識別させたが、この他、識別信号は、ポート入力やコンパレータによる判別によって識別させてもよい。【００５４】  また、上記の例では記憶部２５９に既知のＬＥＤ点灯アプリケーションが格納されている場合を説明したが、ＬＥＤ点灯アプリケーションは既知および新規の全てのものがダウンロードされるものであってもよい。【００５５】  したがって、上記の携帯電話機２００によれば、筺体２２１に対して複数種類のうちから選択的に取り付けられるカバー部材２３７と、筺体２２１に収容された通信回路部２６１と、筺体２２１の外方に発する発光部２４９と、発光部２４９の発光パターンを複数種類記憶する記憶部２５９と、通信回路部２６１が待受状態に移行したときに、各発光パターンのうち、予め設定された１つに基づいて発光部２４９を発光させる制御部２５７とを備えた携帯電話機２００において、カバー部材２３７に設けられた別体の抵抗Ｒ２を有し、カバー部材２３７を筺体２２１に取り付けたときに、制御部２５７が通信回路部２６１を通信状態に移行させることにより、抵抗Ｒ２に対応した新たな発光パターンをダウンロードして記憶部２５９に記憶させ、新たな発光パターンを選択するので、ユーザーがカバー部材２３７を交換する都度、制御部２５７によってカバー部材２３７に対応した発光パターンを自動で選択でき、手動による煩雑なダウンロード・設定を不要にできる。この結果、表示品質の安定化および着せ替え作業の簡便化を同時に達成でき、着せ替え機能を良質な表示品質の下で気軽に楽しむことができる。【００５６】  次に、上記の携帯電話機２００に付加されて好適な診断機能について説明する。
この診断機能は、例えば記憶部２５９にプログラムの形態で格納され、制御部２５７によって実行される。
図１４は診断機能の診断手順を表す流れ図である。
携帯電話機２００では、例えば、カバー部材２３７が脱着されると（ｓｔ２２１）、その分圧電圧をトリガーとし、制御部２５７が記憶部２５９に格納された診断プログラムに基づき、抵抗Ｒ２に対する診断モードとなる（ｓｔ２２３）。【００５７】  次いで、カバー部材２３７を筺体２２１に取り付けると（ｓｔ２２５）、そのカバー部材２３７に搭載される抵抗Ｒ２の識別特性（抵抗値）を制御部２５７が読み取る（ｓｔ２２７）。
抵抗値を読み取った制御部２５７は、読み取り抵抗値が所定範囲内であるかを記憶部２５９などに記憶した規定値と比較する（ｓｔ２２９）。
制御部２５７は、読み取り抵抗値が所定範囲内であれば正常と判断し、手順をテスト発光へと移行する（ｓｔ２３１）。一方、読み取り抵抗値が所定範囲外であれば異常と判断し、警報を発報する（ｓｔ２３３）。【００５８】  制御部２５７は、読み取り抵抗値が所定範囲内であればテスト発光を行う。テスト発光は、抵抗Ｒ２に対応して選択された１つの発光パターンで発光部２４９をテスト発光させる。したがって、例えば、窓部２４７に人面の発光パターンを要求するカバー部材２３７である場合、当該カバー部材２３７が装着された際に、発光部２４９が時計の発光パターンとなれば、抵抗Ｒ２や制御部２５７などの誤作動が分かることになる。【００５９】  なお、上記した診断機能では、抵抗Ｒ２の診断を実行した後、テスト発光を実行する例を説明したが、診断機能は、この他、抵抗Ｒ２の診断のみ、或いはテスト発光のみを単独で実行するものであっても勿論良い。【００６０】  したがって、このような診断機能を備えた携帯電話機２００によれば、カバー部材２３７を筺体２２１に取り付けたときに、制御部２５７が、抵抗Ｒ２の抵抗値を診断するので、例えば経時劣化などによって所定の特性を示さなくなった抵抗Ｒ２によって、制御部２５７が発光部２４９を誤った発光パターンで設定してしまう誤設定を未然に防止することができる。【００６１】  また、カバー部材２３７を筺体２２１に取り付けたときに、制御部２５７が、抵抗Ｒ２に対応して選択された１つの発光パターンで発光部２４９をテスト発光させるので、カバー部材２３７の装着と同時に、抵抗Ｒ２や制御部２５７の誤作動が分かり、所定の発光パターンであるか否かを組立作業者或いはユーザーが簡便に確認することができる。【００６２】  本出願は、２００４年１１月２４日出願の日本特許出願（特願２００４−３３８８３１および特願２００４−３３８８３２）に基づくものであり、それらの内容はここに参照として取り込まれる。
【図１】
2006057293.tif 000002
【図２】
2006057293.tif 000003
【図３】
2006057293.tif 000004
【図４】
2006057293.tif 000005
【図５】
2006057293.tif 000006
【図６】
2006057293.tif 000007
【図７】
2006057293.tif 000008
【図８】
2006057293.tif 000009
【図９】
2006057293.tif 000010
【図１０】
2006057293.tif 000011
【図１１】
2006057293.tif 000012
【図１２】
2006057293.tif 000013
【図１３】
2006057293.tif 000014
【図１４】
2006057293.tif 000015
【図１５】
2006057293.tif 000016
【図１６】
2006057293.tif 000017
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
筺体と、該筺体に対して複数種類のうちから選択的に取り付けられるカバー部材と、前記筺体の外方に発する発光部と、該発光部の発光パターンを複数種類記憶する記憶部と、前記各発光パターンのうち、予め設定された１つに基づいて前記発光部を発光させる制御部とを備えた携帯端末であって、
前記カバー部材に設けられた別体の識別手段を有し、
前記カバー部材を前記筺体に取り付けたときに、該識別手段に対応して前記制御部が前記各発光パターンのうち１つを選択することを特徴とする携帯端末。
【請求項２】
前記カバー部材を前記筺体に取り付けたときに、前記制御部が、前記識別手段の識別特性を診断することを特徴とする請求項１記載の携帯端末。
【請求項３】
前記カバー部材を前記筺体に取り付けたときに、前記制御部が、前記識別手段に対応して選択された１つの発光パターンで前記発光部をテスト発光させることを特徴とする請求項１又は請求項２記載の携帯端末。
【請求項４】
筺体と、該筺体に対して複数種類のうちから選択的に取り付けられるカバー部材と、前記筺体に収容された通信部と、前記筺体の外方に光を発する発光部と、該発光部の発光パターンを複数種類記憶する記憶部と、前記通信部が待受状態に移行したときに、前記各発光パターンのうち、予め設定された１つに基づいて前記発光部を発光させる制御部とを備えた携帯端末であって、
前記カバー部材に設けられた別体の識別手段を有し、
前記カバー部材を前記筺体に取り付けたときに、前記制御部が前記通信部を前記通信状態に移行させることにより、前記識別手段に対応した新たな発光パターンをダウンロードして前記記憶部に記憶させ、前記新たな発光パターンを選択することを特徴とする携帯端末。
【手続補正２】
【補正対象書類名】明細書
【補正対象項目名】全文
【補正方法】変更
【補正の内容】
【発明の詳細な説明】
【技術分野】
【０００１】
本発明は、筺体に対して、複数種類のカバー部材のうちから任意のものが選択的に取り付けられる携帯端末に関する。
【背景技術】
【０００２】
携帯端末の１つである例えば携帯電話機は、近年、急速な普及によって、ファッション性、差別化、斬新さなどが求められる傾向にある。このような要請から、図１５に示すように、携帯電話機１には、特に筺体３に対して、外装パネル等のカバー部材５を複数種類（５ａ、５ｂ、５ｃ）のうちから任意のものを交換可能に装着できるようにしたもの（所謂着せ替え型携帯電話機）が提案されている。ところで、携帯時、折り畳まれることによって主表示部が見えなくなる特に二つ折りの携帯電話機１では、着信番号、時刻などを折り畳んだ状態でも視認可能とするために、ＬＥＤ情報表示部（サブ表示部７）が主表示部の反対面、すなわち、カバー部材５ａ、５ｂ、５ｃを装着する側の筺体３の外面３ａに設けられていることがある。
【０００３】
このようなサブ表示部７の設けられた携帯電話機１では、筺体３に例えばカバー部材５ｂが装着されることで、カバー部材５ｂに設けられた窓部９によってサブ表示部７の発光部１１が視認可能に覆われて保護される。カバー部材５の中には、窓部９に嵌着される透明材料が、カバー部材５ａ、５ｂ、５ｃのデザインに応じた光透過率の異なる素材によって形成されるものもある（例えば、特許文献１）。
【特許文献１】特開２００４−８０３９０号公報
【発明の開示】
【発明が解決しようとする課題】
【０００４】
ところで、上記のサブ表示部を備えた着せ替え型携帯電話機は、多数のバリエーションの中から任意のカバー部材が選択されるため、サブ表示部の発光パターン（ＬＥＤの輝度、色、或いは発光配列など）が特定された一つのものであると、ファッション性などの要請に応えられない。また、窓部に嵌着される透明素材が異なれば、透過光の強度が変わり、表示品質のばらつく虞もあった。そのため、従来の着せ替え型携帯電話機の中には、装着したカバー部材に対応する発光パターン（例えば、ＬＥＤの輝度）を、ユーザーが手動で調整・設定できるものもあった。
しかしながら、手動で発光パターンの調整・設定を行うものでは、例えばユーザーがカバー部材を毎日交換する場合、その都度煩雑な手動調整・設定が必要となり、折角の着せ替え機能を、良質な表示品質の下で気軽に楽しむことができなかった。
【０００５】
また、例えば、図１６に示す携帯電話機３０１のように、夜空にデザインされたカバー部材３０５ａには、発光部３１１が月の発光パターンで発光され、顔の輪郭にデザインされたカバー部材３０５ｂには、発光部３１１が人面の発光パターンで発光され、時計にデザインされたカバー部材３０５ｃには、発光部３１１が時計針の発光パターンで発光される。また、窓部３０９に嵌着される透明素材が異なれば、透過光の強度が変わり、表示品質のばらつく虞もあった。そのため、従来の着せ替え型携帯電話機の中には、装着したカバー部材に対応する発光パターン（例えば、ＬＥＤ点灯アプリケーション）を、ユーザーが手動でダウンロードして設定できるものもあった。
しかしながら、手動で発光パターンのダウンロード・設定を行うものでは、例えばユーザーがカバー部材を毎日交換する場合、その都度煩雑なダウンロード・設定が必要となり、折角の着せ替え機能を、良質な表示品質の下で気軽に楽しむことができなかった。
【０００６】
本発明は上記状況に鑑みてなされたもので、サブ表示部を備えた着せ替え型の携帯端末において、ユーザーが手動で調整・設定することなく、自動で発光パターンが調整・設定される携帯端末を提供し、もって、表示品質の安定化および着せ替え作業の簡便化を図ることを目的とする。
【課題を解決するための手段】
【０００７】
上記目的を達成するための本発明に係る携帯端末は、筺体と、該筺体に対して複数種類のうちから選択的に取り付けられるカバー部材と、前記筺体の外方に発する発光部と、該発光部の発光パターンを複数種類記憶する記憶部と、前記各発光パターンのうち、予め設定された１つに基づいて前記発光部を発光させる制御部とを備えた携帯端末であって、前記カバー部材に設けられた別体の識別手段を有し、前記カバー部材を前記筺体に取り付けたときに、該識別手段に対応して前記制御部が前記各発光パターンのうち１つを選択することを特徴とする。
【０００８】
この携帯端末では、ユーザーがカバー部材を交換すると、カバー部材に設けられた識別手段が制御部によって識別される。識別手段を識別した制御部は、記憶部に記憶された複数種類の発光パターンの中から、当該識別した識別手段に対応する発光パターンを選択し、この発光パターンで発光部を発光させる。
【０００９】
また、本発明に係る携帯端末は、前記カバー部材を前記筺体に取り付けたときに、前記制御部が、前記識別手段の識別特性を診断することを特徴とする。
【００１０】
この携帯端末では、カバー部材が取り付けられると、そのカバー部材に搭載される識別手段の識別特性が制御部によって読み取られる。識別特性を読み取った制御部は、読み取り特性値が所定範囲内であるかを記憶部などに記憶された規定値と比較し、読み取り特性値が規定範囲内であれば正常と判断し、規定範囲外であれば異常と判断する。
【００１１】
さらに、本発明に係る携帯端末は、前記カバー部材を前記筺体に取り付けたときに、前記制御部が、前記識別手段に対応して選択された１つの発光パターンで前記発光部をテスト発光させることを特徴とする。
【００１２】
この携帯端末では、カバー部材が筺体に取り付けられると、カバー部材に設けられている識別手段に対応した発光パターンで、発光部がテスト発光される。したがって、例えば、窓部に人面の発光パターンを要求するカバー部材である場合、当該カバー部材が装着された際に、発光部が時計の発光パターンとなれば、識別手段や制御部などの誤作動が分かることになる。
【００１３】
一方、本発明に係る携帯端末は、筺体と、該筺体に対して複数種類のうちから選択的に取り付けられるカバー部材と、前記筺体に収容された通信部と、前記筺体の外方に光を発する発光部と、該発光部の発光パターンを複数種類記憶する記憶部と、前記通信部が待受状態に移行したときに、前記各発光パターンのうち、予め設定された１つに基づいて前記発光部を発光させる制御部とを備えた携帯端末であって、前記カバー部材に設けられた別体の識別手段を有し、前記カバー部材を前記筺体に取り付けたときに、前記制御部が前記通信部を前記通信状態に移行させることにより、前記識別手段に対応した新たな発光パターンをダウンロードして前記記憶部に記憶させ、前記新たな発光パターンを選択することを特徴とする。
【００１４】
この携帯端末では、ユーザーがカバー部材を交換すると、カバー部材に設けられた識別手段が制御部によって識別される。識別手段を識別した制御部は、識別手段に対応した新たな発光パターンをダウンロードして記憶部に記憶させ、この新たな発光パターンを選択して発光部を発光させる。
【発明の効果】
【００１５】
本発明に係る請求項１記載の携帯端末によれば、筺体に対して複数種類のうちから選択的に取り付けられるカバー部材と、筺体の外方に発する発光部と、発光部の発光パターンを複数種類記憶する記憶部と、発光パターンのうち、予め設定された１つに基づいて発光部を発光させる制御部とを備えた携帯端末において、カバー部材に設けられた別体の識別手段を有し、カバー部材を筺体に取り付けたときに、この識別手段に対応して制御部が各発光パターンのうち１つを選択するので、ユーザーがカバー部材を交換する都度、制御部によってカバー部材に対応した発光パターンが自動で選択され、煩雑な手動調整・設定が不要となる。この結果、表示品質の安定化および着せ替え作業の簡便化を同時に達成でき、着せ替え機能を良質な表示品質の下で気軽に楽しむことができる。
【００１６】
本発明に係る請求項２記載の携帯端末によれば、カバー部材を筺体に取り付けたときに、制御部が、識別手段の識別特性を診断するので、先ず、カバー部材が取り付けられると、そのカバー部材に搭載される識別手段が所定の特性を備えているか否かが診断され、例えば経時劣化などによって所定の特性を示さなくなった識別手段によって、制御部が発光部を誤った発光パターンで設定してしまう誤設定を未然に防止することができる。
【００１７】
本発明に係る請求項３記載の携帯端末によれば、カバー部材を筺体に取り付けたときに、制御部が、識別手段に対応して選択された１つの発光パターンで発光部をテスト発光させるので、例えば、窓部に人面の発光パターンを要求するカバー部材である場合、当該カバー部材が装着された際に、発光部が時計の発光パターンとなれば、識別手段や制御部などの誤作動が分かる。この結果、カバー部材の装着と同時に、所定の発光パターンであるか否かをユーザーが確認することができる。
【００１８】
一方、本発明に係る請求項４記載の携帯端末によれば、筺体に対して複数種類のうちから選択的に取り付けられるカバー部材と、筺体に収容された通信部と、筺体の外方に発する発光部と、発光部の発光パターンを複数種類記憶する記憶部と、通信部が待受状態に移行したときに、各発光パターンのうち、予め設定された１つに基づいて発光部を発光させる制御部とを備えた携帯端末において、カバー部材に設けられた別体の識別手段を有し、カバー部材を筺体に取り付けたときに、制御部が通信部を通信状態に移行させることにより、識別手段に対応した新たな発光パターンをダウンロードして記憶部に記憶させ、新たな発光パターンを選択するので、ユーザーがカバー部材を交換する都度、制御部によってカバー部材に対応した発光パターンが自動でダウンロードされ、新たな発光パターンとして発光させることができる。この結果、手動による煩雑なダウンロード・設定が不要となり、表示品質の安定化および着せ替え作業の簡便化を同時に達成でき、着せ替え機能を良質な表示品質の下で気軽に楽しむことができる。
【発明を実施するための最良の形態】
【００１９】
以下、本発明に係る携帯端末の好適な実施の形態を図面を参照して説明する。
（第１実施形態）
図１は本発明に係る第１実施形態の通信端末である携帯電話機を表す斜視図である。
第１実施形態は、携帯端末が携帯電話機である場合を例に説明するが、本発明はこれに限定して適用されるものではなく、表示部を備えた筺体に複数のカバー部材が選択的に着脱自在となった全ての携帯端末に適用できるものである。通信端末である携帯電話機（折り畳み式携帯電話機）１００は、筺体２１が上筐体２３と下筐体２５とからなり、これら上筐体２３および下筐体２５とが、双方に設けられたヒンジ２７ａ、２７ｂで構成されるヒンジ部２７によって二つ折りに折り畳み自在となっている。
【００２０】
上筐体２３の裏面（二つ折り時に重ね合わされる面）には液晶表示部２９が設けられるとともに、受話部３１が設けられる。下筐体２５の裏面には操作部３３が設けられるとともに送話部３５が設けられる。この他、筺体２１には図示しないアンテナ、カメラ部、バイブレータ、各種回路部を備えた回路基板などが設けられている。
【００２１】
図２は図１に示した上筺体を外面から見た正面図、図３はカバー部材の外された携帯電話機の斜視図である。
携帯電話機１００は、上筐体２３の外面に対し、外装パネルであるカバー部材３７が着脱自在となっている。カバー部材３７は、複数種類のうちから任意のものが交換可能（選択的）に装着される。カバー部材３７は、四隅に取付孔３９が穿設され、この取付孔３９に挿通された取付ねじ４１が、図３に示す上筐体２３のカバー装着面２３ａに設けられたねじ孔４３に螺合されることで、上筐体２３に取り付けられる。
【００２２】
また、折り畳まれることによって主表示部である液晶表示部２９が見えなくなるこの二つ折り携帯電話機１００では、着信番号、時刻などを折り畳んだ状態でも視認可能とするためのＬＥＤ情報表示部（サブ表示部４５）が液晶表示部２９の反対面、すなわち、カバー部材３７を装着する側の上筐体２３の外面（カバー装着面２３ａ）に設けられている。
【００２３】
そして、携帯電話機１００は、上筐体２３の外面にカバー部材３７が装着されることで、カバー部材３７の窓部４７に嵌着された透明部材によってサブ表示部４５の発光部４９が視認可能に覆われて保護される。発光部４９は、単一の発光面、又は複数のＬＥＤを二次元配列したもののいずれであってもよい。カバー部材３７は、窓部４７の透明部材が、当該カバー部材３７のデザインに応じ光透過率などの異なる素材によって形成されるものであってよい。
【００２４】
図４は第１実施形態のカバー部材の斜視図である。
カバー部材３７の背面には別体の識別手段である抵抗Ｒ２およびその両電極に導通した一対の接点部５３ａ、５３ｂが設けられている。抵抗Ｒ２は、それぞれのカバー部材３７毎に抵抗値が異なる。つまり、抵抗Ｒ２の抵抗値を検出すれば、カバー部材３７の種類が特定できるようになっている。第１実施形態では、抵抗Ｒ２がカバー部材３７の背面に設けられるが、抵抗Ｒ２はカバー部材３７に一体に埋入されたものであってもよい。なお、その場合においても、接点部５３ａ、５３ｂは、カバー部材３７の背面に表出される。
【００２５】
一方、上筐体２３のカバー装着面２３ａには、カバー装着時の接点部５３ａ、５３ｂに対応する位置に、筺体側の一対の接点部５５ａ、５５ｂ（図３参照）が設けられている。この接点部５５ａ、５５ｂは、筺体２１に内蔵された図示しない回路基板の制御回路部に接続されている。つまり、カバー部材３７が上筐体２３のカバー装着面２３ａに装着されると、抵抗Ｒ２の接点部５３ａ、５３ｂが、上筐体２３の接点部５５ａ、５５ｂに接触し、制御回路部に導通するようになっている。
【００２６】
図５は第１実施形態の制御回路部を表すブロック図である。
携帯電話機１００は、図示しないバッテリ、電源回路部、通信回路部、音声回路部および制御回路部を備える。電源回路部は、バッテリの電力を元にＶＤＤ（正電源電圧）を生成し、このＶＤＤを携帯電話機１００の通話機能などの各種機能を作動させる各構成要素に供給する。制御回路部にはＬＳＩなどからなる制御部５７が設けられる。制御部５７には、通信回路部、音声回路部、操作部３３などの他、発光部４９、記憶部５９、抵抗Ｒ１が接続される。制御部５７は、発光部４９の発光パターン（ＬＥＤの輝度、色、或いは発光配列など）を制御可能としている。記憶部５９には、カバー部材３７の種類毎に複数の発光パターンが記憶されている。また、記憶部５９には、後述する診断機能の手順も記憶されている。
【００２７】
次に、このような構成を有する携帯電話機１００の作用を説明する。
図６は第１実施形態の発光パターン制御の手順を表す流れ図である。
携帯電話機１００では、カバー部材３７が取り付けられる（ｓｔ１）ことにより、カバー部材３７の接点部５３ａ、５３ｂが、筺体２１の接点部５５ａ、５５ｂに接触し（ｓｔ３）、ＶＤＤの分圧抵抗として接続される。抵抗Ｒ２がＶＤＤの分圧抵抗として接続されると、抵抗Ｒ１と抵抗Ｒ２により分圧された電圧が制御部５７のＡ／Ｄ変換部に入力される（ｓｔ５）。制御部５７は、入力されたＡ／Ｄ値の違いによりどのカバー部材３７が取り付けられているかを識別する（ｓｔ７）。そして、制御部５７は、この識別結果に基づき、装着されたカバー部材３７に対応する発光パターン（例えば輝度データ設定値）を記憶部５９から読み出し（ｓｔ９）、発光部４９に対して適切な発光パターン（輝度）制御を行う（ｓｔ１１）ようになっている。
【００２８】
すなわち、携帯電話機１００では、カバー部材３７が上筐体２３に取り付けられると、制御部５７が抵抗Ｒ２に対応して各発光パターンのうち１つを選択し、選択した１つの発光パターンに基づいて発光部４９が発光制御される。これにより、取り付けられるカバー部材３７のデザインや素材に左右されることなく表示品質が一定に保たれるようになっている。
【００２９】
なお、上記の例では識別信号となる抵抗値を制御部５７のＡ／Ｄ変換部に入力して識別させたが、この他、識別信号は、ポート入力やコンパレータによる判別によって識別させてもよい。
【００３０】
したがって、上記の携帯電話機１００によれば、筺体２１に対して複数種類のうちから選択的に取り付けられるカバー部材３７と、筺体２１の外方に発する発光部４９と、発光部４９の発光パターンを複数種類記憶する記憶部５９と、発光パターンのうち、予め設定された１つに基づいて発光部４９を発光させる制御部５７とを備えた携帯電話機１００において、カバー部材３７に設けられた別体の抵抗Ｒ２を有し、カバー部材３７を筺体２１に取り付けたときに、この抵抗Ｒ２に対応して制御部５７が各発光パターンのうち１つを選択するので、ユーザーがカバー部材３７を交換する都度、制御部５７によってカバー部材３７に対応した発光パターンが自動で選択され、煩雑な手動調整・設定が不要となる。この結果、表示品質の安定化および着せ替え作業の簡便化を同時に達成でき、着せ替え機能を良質な表示品質の下で気軽に楽しむことができるようになる。
【００３１】
つぎに、携帯電話機１００に付加されて好適な診断機能について説明する。
この診断機能は、例えば記憶部５９にプログラムの形態で格納され、制御部５７によって実行される。
図７は第１実施形態の診断機能の診断手順を表す流れ図である。
携帯電話機１００では、例えば、カバー部材３７が脱着されると（ｓｔ２１）、その分圧電圧をトリガーとし、制御部５７が記憶部５９に格納された診断プログラムに基づき、抵抗Ｒ２に対する診断モードとなる（ｓｔ２３）。
【００３２】
次いで、カバー部材３７を筺体２１に取り付けると（ｓｔ２５）、そのカバー部材３７に搭載される抵抗Ｒ２の識別特性（抵抗値）を制御部５７が読み取る（ｓｔ２７）。
抵抗値を読み取った制御部５７は、読み取り抵抗値が所定範囲内であるかを記憶部５９などに記憶した規定値と比較する（ｓｔ２９）。
制御部５７は、読み取り抵抗値が所定範囲内であれば正常と判断し、手順をテスト発光へと移行する（ｓｔ３１）。一方、読み取り抵抗値が所定範囲外であれば異常と判断し、警報を発報する（ｓｔ３３）。
【００３３】
制御部５７は、読み取り抵抗値が所定範囲内であればテスト発光を行う。テスト発光は、抵抗Ｒ２に対応して選択された１つの発光パターンで発光部４９をテスト発光させる。したがって、例えば、窓部４７に人面の発光パターンを要求するカバー部材３７である場合、当該カバー部材３７が装着された際に、発光部４９が時計の発光パターンとなれば、抵抗Ｒ２や制御部５７などの誤作動が分かることになる。
【００３４】
なお、上記した診断機能では、抵抗Ｒ２の診断を実行した後、テスト発光を実行する例を説明したが、診断機能は、この他、抵抗Ｒ２の診断のみ、或いはテスト発光のみを単独で実行するものであっても勿論良い。
【００３５】
したがって、このような診断機能を備えた第１実施形態の携帯電話機１００によれば、カバー部材３７を筺体２１に取り付けたときに、制御部５７が、抵抗Ｒ２の抵抗値を診断するので、例えば経時劣化などによって所定の特性を示さなくなった抵抗Ｒ２によって、制御部５７が発光部４９を誤った発光パターンで設定してしまう誤設定を未然に防止することができる。
【００３６】
また、カバー部材３７を筺体２１に取り付けたときに、制御部５７が、抵抗Ｒ２に対応して選択された１つの発光パターンで発光部４９をテスト発光させるので、カバー部材３７の装着と同時に、抵抗Ｒ２や制御部５７の誤作動が分かり、所定の発光パターンであるか否かを組立作業者或いはユーザーが簡便に確認することができる。
【００３７】
（第２実施形態）
図８は本発明に係る第２実施形態の通信端末である携帯電話機２００を表す斜視図である。
第２実施形態では、携帯端末２００が携帯電話機である場合を例に説明するが、本発明はこれに限定して適用されるものではなく、表示部を備えた筺体に複数のカバー部材が選択的に着脱自在となった全ての携帯端末に適用できるものである。通信端末である携帯電話機（折り畳み式携帯電話機）２００は、筺体２２１が上筐体２２３と下筐体２２５とからなり、これら上筐体２２３および下筐体２２５とが、双方に設けられたヒンジ２２７ａ、２２７ｂで構成されるヒンジ部２２７によって二つ折りに折り畳み自在となっている。
【００３８】
上筐体２２３の裏面（二つ折り時に重ね合わされる面）には液晶表示部２２９が設けられるとともに、受話部２３１が設けられる。下筐体２２５の裏面には操作部２３３が設けられるとともに送話部２３５が設けられる。この他、筺体２２１には図示しないアンテナ、カメラ部、バイブレータ、各種回路部を備えた回路基板などが設けられている。
【００３９】
図９は図８に示した上筺体を外面から見た正面図、図１０はカバー部材の外された携帯電話機の斜視図である。
携帯電話機２００は、上筐体２２３の外面に対し、外装パネルであるカバー部材２３７が着脱自在となっている。カバー部材２３７は、複数種類のうちから任意のものが交換可能（選択的）に装着される。カバー部材２３７は、四隅に取付孔２３９が穿設され、この取付孔２３９に挿通された取付ねじ２４１が、図１０に示す上筐体２２３のカバー装着面２２３ａに設けられたねじ孔２４３に螺合されることで、上筐体２２３に取り付けられる。
【００４０】
また、折り畳まれることによって主表示部である液晶表示部２２９が見えなくなるこの二つ折り携帯電話機２００では、着信番号、時刻などを折り畳んだ状態でも視認可能とするためのＬＥＤ情報表示部（サブ表示部２４５）が液晶表示部２２９の反対面、すなわち、カバー部材２３７を装着する側の上筐体２２３の外面（カバー装着面２２３ａ）に設けられている。
【００４１】
そして、携帯電話機２００は、上筐体２２３の外面にカバー部材２３７が装着されることで、カバー部材２３７の窓部２４７に嵌着された透明部材によってサブ表示部２４５の発光部２４９が視認可能に覆われて保護される。発光部２４９は、単一の発光面、又は複数のＬＥＤを二次元配列したもののいずれであってもよい。カバー部材２３７は、窓部２４７の透明部材が、当該カバー部材２３７のデザインに応じ光透過率などの異なる素材によって形成されるものであってよい。
【００４２】
図１１は第２実施形態のカバー部材２３７の斜視図である。
カバー部材２３７の背面には別体の識別手段である抵抗Ｒ２およびその両電極に導通した一対の接点部２５３ａ、２５３ｂが設けられている。抵抗Ｒ２は、それぞれのカバー部材２３７毎に抵抗値が異なる。つまり、抵抗Ｒ２の抵抗値を検出すれば、カバー部材２３７の種類が特定できるようになっている。第２実施形態では、抵抗Ｒ２がカバー部材２３７の背面に設けられるが、抵抗Ｒ２はカバー部材２３７に一体に埋入されたものであってもよい。なお、その場合においても、接点部２５３ａ、２５３ｂは、カバー部材２３７の背面に表出される。
【００４３】
一方、上筐体２２３のカバー装着面２２３ａには、カバー装着時の接点部２５３ａ、２５３ｂに対応する位置に、筺体側の一対の接点部２５５ａ、２５５ｂ（図１０参照）が設けられている。
この接点部２５５ａ、２５５ｂは、筺体２２１に内蔵された図示しない回路基板の制御回路部に接続されている。つまり、カバー部材２３７が上筐体２２３のカバー装着面２２３ａに装着されると、抵抗Ｒ２の接点部２５３ａ、２５３ｂが、上筐体２２３の接点部２５５ａ、２５５ｂに接触し、制御回路部に導通するようになっている。
【００４４】
図１２は第２実施形態の制御回路部を表すブロック図である。
携帯電話機２００は、バッテリ、電源回路部、通信部（通信回路部２６１）、音声回路部および制御回路部を備える。電源回路部は、バッテリの電力を元にＶＤＤ（正電源電圧）を生成し、このＶＤＤを携帯電話機２００の通話機能などの各種機能を作動させる各構成要素に供給する。制御回路部にはＬＳＩなどからなる制御部２５７が設けられる。制御部２５７には、音声回路部、操作部２３３などの他、発光部２４９、記憶部２５９、抵抗Ｒ１、通信回路部２６１が接続される。制御部２５７は、発光部２４９の発光パターン（ＬＥＤの輝度、色、或いは発光配列など）を制御可能としている。記憶部２５９には、カバー部材２３７の種類毎に複数の発光パターン（ＬＥＤ点灯アプリケーション）が記憶されている。また、記憶部２５９には、後述する診断機能の手順（ブロック）も記憶されている。
【００４５】
この記憶部２５９は、ＲＯＭ領域とＲＡＭ領域とに分けられており、ＲＯＭ領域には既知の発光パターン（ＬＥＤ点灯アプリケーション）が工場出荷時に格納されている。また、ＲＡＭ領域には、出荷後に作成される新たなＬＥＤ点灯アプリケーションが格納可能となっている。これらのＲＯＭ領域に対する読み込み、およびＲＡＭ領域に対する書き込み・読み込みは、制御部２５７によって制御される。
【００４６】
図１２中、２６３は通信ネット上のサーバー（データベース・サーバー装置）である。サーバー２６３は複数のＬＥＤ点灯アプリケーションを蓄積し、そのうちの任意のものを通信ネットを介して提供可能としている。ここでは、一つのサーバー２６３しか図示していないが、複数のサーバーで各アプリケーションを分けて提供してもよい。制御部２５７は、通信回路部２６１を制御することにより、無線でサーバー２６３に対して所望のＬＥＤ点灯アプリケーションのダウンロード指示を発信し、サーバー２６３を介して送信された当該ＬＥＤ点灯アプリケーションを、記憶部２５９のＲＡＭ領域に格納する。また、制御部２５７は、抵抗Ｒ２の抵抗値が既知のものであるか、新規のものであるかを判断可能としている。
【００４７】
次に、このような構成を有する携帯電話機２００の作用を説明する。
図１３は第２実施形態の発光パターン制御の手順を表す流れ図である。
携帯電話機２００では、カバー部材２３７が取り付けられる（ｓｔ２０１）ことにより、カバー部材２３７の接点部２５３ａ、２５３ｂが、筺体２２１の接点部２５５ａ、２５５ｂに接触し（ｓｔ２０３）、ＶＤＤの分圧抵抗として接続される。抵抗Ｒ２がＶＤＤの分圧抵抗として接続されると、抵抗Ｒ１と抵抗Ｒ２により分圧された電圧が制御部２５７のＡ／Ｄ変換部に入力される（ｓｔ２０５）。
【００４８】
制御部２５７は、入力されたＡ／Ｄ値の違いにより抵抗Ｒ２が既知か否かを判断する（ｓｔ２０７）。抵抗Ｒ２が既知であれば、制御部２５７は、入力されたＡ／Ｄ値の違いによりどのカバー部材２３７が取り付けられているかを識別する（ｓｔ２０９）。そして、制御部２５７は、この識別結果に基づき、装着されたカバー部材２３７に対応するＬＥＤ点灯アプリケーションを記憶部２５９のＲＯＭ領域から読み出し（ｓｔ２１１）、発光部２４９に対して適切な発光パターンの制御を行う（ｓｔ２１３）。
【００４９】
一方、手順ｓｔ２０７において、抵抗Ｒ２が新規と判断された場合には、通信回路部２６１を介して当該抵抗値情報と共にサーバー２６３へ所望のＬＥＤ点灯アプリケーションのダウンロード指示を発信する（ｓｔ２１５）。次いで、制御部２５７は、サーバー２６３を介して送信されたＬＥＤ点灯アプリケーションを、記憶部２５９のＲＡＭ領域に格納する（ｓｔ２１７）。制御部２５７は、このＲＡＭ領域から当該ＬＥＤ点灯アプリケーションを読み出し（ｓｔ２１９）、以下上記と同様の処理によって発光部２４９に対して適切な発光パターンの制御を行う（ｓｔ２１３）。
【００５０】
すなわち、携帯電話機２００では、カバー部材２３７が上筐体２２３に取り付けられると、先ず、抵抗Ｒ２が既知か否かを判断し、既知の場合には制御部２５７が抵抗Ｒ２に対応して各発光パターンのうち１つを選択し、選択した１つの発光パターンに基づいて発光部２４９を発光制御する。一方、抵抗Ｒ２が新規の場合には、発光パターンをダウンロードし、この発光パターンに基づいて発光部２４９を発光制御する。これにより、取り付けられるカバー部材２３７のデザインや素材に左右されることなく表示品質が一定に保たれるようになっている。
【００５１】
なお、上記の例では識別信号となる抵抗値を制御部２５７のＡ／Ｄ変換部に入力して識別させたが、この他、識別信号は、ポート入力やコンパレータによる判別によって識別させてもよい。
【００５２】
また、上記の例では記憶部２５９に既知のＬＥＤ点灯アプリケーションが格納されている場合を説明したが、ＬＥＤ点灯アプリケーションは既知および新規の全てのものがダウンロードされるものであってもよい。
【００５３】
したがって、上記の携帯電話機２００によれば、筺体２２１に対して複数種類のうちから選択的に取り付けられるカバー部材２３７と、筺体２２１に収容された通信回路部２６１と、筺体２２１の外方に発する発光部２４９と、発光部２４９の発光パターンを複数種類記憶する記憶部２５９と、通信回路部２６１が待受状態に移行したときに、各発光パターンのうち、予め設定された１つに基づいて発光部２４９を発光させる制御部２５７とを備えた携帯電話機２００において、カバー部材２３７に設けられた別体の抵抗Ｒ２を有し、カバー部材２３７を筺体２２１に取り付けたときに、制御部２５７が通信回路部２６１を通信状態に移行させることにより、抵抗Ｒ２に対応した新たな発光パターンをダウンロードして記憶部２５９に記憶させ、新たな発光パターンを選択するので、ユーザーがカバー部材２３７を交換する都度、制御部２５７によってカバー部材２３７に対応した発光パターンを自動で選択でき、手動による煩雑なダウンロード・設定を不要にできる。この結果、表示品質の安定化および着せ替え作業の簡便化を同時に達成でき、着せ替え機能を良質な表示品質の下で気軽に楽しむことができる。
【００５４】
次に、上記の携帯電話機２００に付加されて好適な診断機能について説明する。
この診断機能は、例えば記憶部２５９にプログラムの形態で格納され、制御部２５７によって実行される。
図１４は診断機能の診断手順を表す流れ図である。
携帯電話機２００では、例えば、カバー部材２３７が脱着されると（ｓｔ２２１）、その分圧電圧をトリガーとし、制御部２５７が記憶部２５９に格納された診断プログラムに基づき、抵抗Ｒ２に対する診断モードとなる（ｓｔ２２３）。
【００５５】
次いで、カバー部材２３７を筺体２２１に取り付けると（ｓｔ２２５）、そのカバー部材２３７に搭載される抵抗Ｒ２の識別特性（抵抗値）を制御部２５７が読み取る（ｓｔ２２７）。
抵抗値を読み取った制御部２５７は、読み取り抵抗値が所定範囲内であるかを記憶部２５９などに記憶した規定値と比較する（ｓｔ２２９）。
制御部２５７は、読み取り抵抗値が所定範囲内であれば正常と判断し、手順をテスト発光へと移行する（ｓｔ２３１）。一方、読み取り抵抗値が所定範囲外であれば異常と判断し、警報を発報する（ｓｔ２３３）。
【００５６】
制御部２５７は、読み取り抵抗値が所定範囲内であればテスト発光を行う。テスト発光は、抵抗Ｒ２に対応して選択された１つの発光パターンで発光部２４９をテスト発光させる。したがって、例えば、窓部２４７に人面の発光パターンを要求するカバー部材２３７である場合、当該カバー部材２３７が装着された際に、発光部２４９が時計の発光パターンとなれば、抵抗Ｒ２や制御部２５７などの誤作動が分かることになる。
【００５７】
なお、上記した診断機能では、抵抗Ｒ２の診断を実行した後、テスト発光を実行する例を説明したが、診断機能は、この他、抵抗Ｒ２の診断のみ、或いはテスト発光のみを単独で実行するものであっても勿論良い。
【００５８】
したがって、このような診断機能を備えた携帯電話機２００によれば、カバー部材２３７を筺体２２１に取り付けたときに、制御部２５７が、抵抗Ｒ２の抵抗値を診断するので、例えば経時劣化などによって所定の特性を示さなくなった抵抗Ｒ２によって、制御部２５７が発光部２４９を誤った発光パターンで設定してしまう誤設定を未然に防止することができる。
【００５９】
また、カバー部材２３７を筺体２２１に取り付けたときに、制御部２５７が、抵抗Ｒ２に対応して選択された１つの発光パターンで発光部２４９をテスト発光させるので、カバー部材２３７の装着と同時に、抵抗Ｒ２や制御部２５７の誤作動が分かり、所定の発光パターンであるか否かを組立作業者或いはユーザーが簡便に確認することができる。
【００６０】
本出願は、２００４年１１月２４日出願の日本特許出願（特願2004-338831および特願2004-338832）に基づくものであり、それらの内容はここに参照として取り込まれる。
【図面の簡単な説明】
【００６１】
【図１】本発明に係る第１実施形態の通信端末である携帯電話機を表す斜視図である。
【図２】図１に示した上筺体を外面から見た正面図である。
【図３】第１実施形態のカバー部材の外された携帯電話機の斜視図である。
【図４】第１実施形態のカバー部材の斜視図である。
【図５】第１実施形態の制御回路部を表すブロック図である。
【図６】第１実施形態の発光パターン制御の手順を表す流れ図である。
【図７】第１実施形態の診断機能の診断手順を表す流れ図である。
【図８】本発明に係る第２実施形態の通信端末である携帯電話機を表す斜視図である。
【図９】図８に示した上筺体を外面から見た正面図である。
【図１０】第２実施形態のカバー部材の外された携帯電話機の斜視図である。
【図１１】第２実施形態のカバー部材の斜視図である。
【図１２】第２実施形態の制御回路部を表すブロック図である。
【図１３】第２実施形態の発光パターン制御の手順を表す流れ図である。
【図１４】第２実施形態の診断機能の診断手順を表す流れ図である。
【図１５】カバー部材を交換自在に備える従来の携帯電話機の説明図である。
【図１６】カバー部材を交換自在に備える従来の携帯電話機の説明図である。
【符号の説明】
【００６２】
２１、２２１  筺体
３７、２３７  カバー部材
４９、２４９  発光部
５７、２５７  制御部
５９、２５９  記憶部
１００、２００  携帯電話機（携帯端末）
２６１    通信回路部（通信部）
２６３    サーバー
Ｒ２  抵抗（識別手段）
【手続補正３】
【補正対象書類名】図面
【補正対象項目名】全図
【補正方法】変更
【補正の内容】
【図１】
2006057293.tif 000018
【図２】
2006057293.tif 000019
【図３】
2006057293.tif 000020
【図４】
2006057293.tif 000021
【図５】
2006057293.tif 000022
【図６】
2006057293.tif 000023
【図７】
2006057293.tif 000024
【図８】
2006057293.tif 000025
【図９】
2006057293.tif 000026
【図１０】
2006057293.tif 000027
【図１１】
2006057293.tif 000028
【図１２】
2006057293.tif 000029
【図１３】
2006057293.tif 000030
【図１４】
2006057293.tif 000031
【図１５】
2006057293.tif 000032
【図１６】
2006057293.tif 000033
【国際調査報告】
2006057293.tif 000034
2006057293.tif 000035